(57)【要約】【目的】  家庭や工場から排出されて各自治体や業者等で日々回収される、瀬戸物やガラスビン等を砕いた混合物から再生された再生ガラス砂を大量に有効利用すると共に、再生ガラス砂の透水性を最大限利用した、透水性コンクリートブロック及び透水性コンクリートブロックを利用した透水性舗装道路、透水性舗装道路敷設方法を提供することを目的とする。【構成】  透水性コンクリートブロックを利用した透水性舗装道路２０は、路床２２と、再生砕石を含む下層路盤２４と、再生ガラス砂がサンドクッションとして使用されている上層路盤２６と、再生ガラス砂が骨材として使用されている透水性コンクリートブロック１０とから概略構成されている。【選択図】        図３
2005220716.tif 000002
【特許請求の範囲】
【請求項１】
舗装道路に使用する透水性コンクリートブロックであって、コンクリートの骨材に再生ガラス砂を含むことを特徴とする透水性コンクリートブロック。
【請求項２】
前記再生ガラス砂は、陶器による茶褐色系の色を呈することを特徴とする請求項１に記載の透水性コンクリートブロック。
【請求項３】
舗装道路に使用する透水性コンクリートブロックであって、
コンクリートの骨材に通常の砂を使用した表層と、
コンクリートの骨材に再生ガラス砂を混入した基層とからなることを特徴とする透水性コンクリートブロック。
【請求項４】
透水係数が０．０８ｃｍ／秒以上であることを特徴とする請求項１乃至請求項３に記載の透水性コンクリートブロック。
【請求項５】
透水性コンクリートブロックを利用した透水性舗装道路であって、
路床と、
前記路床上に敷かれる砕石からなる下層路盤と、
前記下層路盤上に敷かれるサンドクッションからなる上層路盤と、
舗装路面を形成し、コンクリートの骨材に再生ガラス砂を含む透水性コンクリートブロックとからなることを特徴とする透水性舗装道路。
【請求項６】
透水性コンクリートブロックを利用した透水性舗装道路であって、
路床と、
前記路床上に敷かれる砕石からなる下層路盤と、
前記下層路盤上に敷かれ、再生ガラス砂を含むサンドクッションからなる上層路盤と、
舗装路面を形成し、コンクリートの骨材に再生ガラス砂を含む透水性コンクリートブロックとからなることを特徴とする透水性舗装道路。
【請求項７】
前記下層路盤に再生砕石を含むことを特徴とする請求項５又は請求項６に記載の透水性舗装道路。
【請求項８】
路床に砕石からなる下層路盤を敷設し、
前記下層路盤上に再生ガラス砂を含むサンドクッションを上層路盤として敷設し、
舗装上層路盤に路面を形成する透水性コンクリートブロックを敷設したことを特徴とする透水性舗装道路敷設方法。
【発明の詳細な説明】
【技術分野】
【０００１】  本発明は、家庭や工場から排出されて各自治体や業者等で回収される、瀬戸物やガラスビン等を砕いた混合物を有効利用した、透水性コンクリートブロック及び透水性コンクリートブロックを利用した透水性舗装道路、透水性舗装道路敷設方法に関する。
【背景技術】
【０００２】  従来、家庭や工場から排出されて各自治体や業者等で回収される瀬戸物やガラスビン等は、不純物を取り除かれ再生ガラス砂（ガラスカレット）としてガラス原料に再利用されている。【０００３】  また、特許文献１には、使用済みガラス容器等から得られるガラスカレットとエポキシ樹脂の混合物から道路舗装構造体を製造する方法が開示されている。【０００４】
【特許文献１】    特開２００２−２９４６１５
【発明の開示】
【発明が解決しようとする課題】
【０００５】  しかしながら、この特許文献１で使用されるガラスカレットは、日々排出される瀬戸物やガラスビン等のごく一部であり、その利用量は限られたものとなっている。また、舗装道路構造体の再生ガラス砂を利用した下地層にはエポキシ樹脂が混合物されているため、透水性が担保されないという問題がある。【０００６】  また、資源の有効利用と環境保全のために、建設現場や解体現場から日々排出されるコンクリート廃材塊やレンガ廃材を大量に再利用する方法が求められている。【０００７】  そこで本発明は、家庭や工場から排出されて各自治体や業者等で日々回収される、瀬戸物やガラスビン等を砕いた混合物から再生された再生ガラス砂を大量に有効利用すると共に、再生ガラス砂の透水性を最大限利用した、透水性コンクリートブロック及び透水性コンクリートブロックを利用した透水性舗装道路、透水性舗装道路敷設方法を提供することを目的とする。
【課題を解決するための手段】
【０００８】  上述の課題を解決し目的を達成するため、この発明に係わる透水性コンクリートブロックは、請求項１の記載によれば、コンクリートの骨材に再生ガラス砂を含むことを特徴とする。【０００９】  また、この発明に係わる透水性コンクリートブロックは、請求項２の記載によれば、前記再生ガラス砂は、陶器による茶褐色系の色を呈することを特徴とする。【００１０】  また、この発明に係わる透水性コンクリートブロックは、請求項３の記載によれば、舗装道路に使用する透水性コンクリートブロックであって、コンクリートの骨材に通常の砂を使用した表層と、コンクリートの骨材に再生ガラス砂を混入した基層とからなることを特徴とする。【００１１】  また、この発明に係わる透水性コンクリートブロックは、請求項４の記載によれば、透水係数が０．０８ｃｍ／秒以上であることを特徴とする。【００１２】  また、この発明に係わる透水性舗装道路は、請求項５の記載によれば、路床と、前記路床上に敷かれる砕石からなる下層路盤と、前記下層路盤上に敷かれるサンドクッションからなる上層路盤と、舗装路面を形成し、コンクリートの骨材に再生ガラス砂を含む透水性コンクリートブロックとからなることを特徴とする。【００１３】  また、この発明に係わる透水性舗装道路は、請求項６の記載によれば、路床と、前記路床上に敷かれる砕石からなる下層路盤と、前記下層路盤上に敷かれ、再生ガラス砂を含むサンドクッションからなる上層路盤と、舗装路面を形成し、コンクリートの骨材に再生ガラス砂を含む透水性コンクリートブロックとからなることを特徴とする。【００１４】  また、この発明に係わる透水性舗装道路は、請求項７の記載によれば、前記下層路盤に再生砕石を含むことを特徴とする。【００１５】  また、この発明に係わる透水性舗装道路敷設方法は、請求項８の記載によれば、路床に砕石からなる下層路盤を敷設し、前記下層路盤上に再生ガラス砂を含むサンドクッションを上層路盤として敷設し、舗装上層路盤に路面を形成する透水性コンクリートブロックを敷設したことを特徴とする。
【発明の効果】
【００１６】  この発明により、瀬戸物やガラスビン等から再生された再生ガラス砂を有効利用して、単位舗装面あたりの再生ガラス砂の使用量を増加させることできるので、再生ガラス砂の利用率の拡大を達成することができる。【００１７】  また、この発明により、再生ガラス砂の透水性を最大限利用して、雨天等で舗装面にできる水溜り防止を達成した透水性コンクリートブロック及び透水性コンクリートブロックを利用した透水性舗装道路、透水性舗装道路敷設方法を提供することができる。【００１８】  さらに、この発明では、再生ガラス砂に瀬戸物等の陶器を使用することで、ガラスのみから再生された再生ガラス砂に多い緑色系を茶褐色系にすることができるので、ガラスから再生された再生ガラス砂から受けるイメージである手を傷つけるや危険であるといった印象をなくす効果がある。【００１９】  また、この発明により、建設現場や解体現場から日々排出されるコンクリート廃材塊やレンガ廃材を大量に再利用することが可能となる。
【発明を実施するための最良の形態】
【００２０】＜第一の実施例＞
以下に本発明を図面に従って説明する。
本発明の第一の実施例を図１及び図２に従って説明する。図１は、本発明の透水性コンクリートブロック１０の実施例を示す断面図である。
本発明の透水性コンクリートブロック１０は、概略直方体の形状であり、基層１２と表層１４から概略構成されている。【００２１】  基層１２のコンクリートは、骨材に再生ガラス砂が使用されている。この再生ガラス砂は、各自治体等で回収された瀬戸物やガラスビン等から不純物を取り除いて加工されたものである。【００２２】  表層１４のコンクリートは、骨材に通常の砂が使用されているが、透水性が担保されるように粗骨材が混入されている。また、表層１４は舗装道路敷設後に路面となるので、表面の摩擦抵抗を大きくする加工や、彩色加工が施されている。【００２３】  本発明の透水性コンクリートブロックを使用した路面舗装では、１平方メートル当たりに約４０ｋｇ（ワインビン約１００本分）の再生ガラス砂が使用されている。このように本発明の透水性コンクリートブロックは、瀬戸物やガラスビン等の資源の有効利用、省エネルギー及びリサイクルといった社会ニーズに応えた、環境に配慮した舗装材である。【００２４】  本発明の透水性コンクリートブロックの透水係数は、定水位型透水試験機での計測で、平均０．０８９ｃｍ／秒となっている。透水係数の規格値は０．０１ｃｍ／秒であるので、本発明の透水性コンクリートブロックは非常に優れた透水性を有している。【００２５】  図２は、本発明で使用される再生ガラス砂の溶出試験結果である。この図中で＜で示される数値は、定量下限値未満を示している。この図２の通り、本発明で使用される再生ガラス砂は、その安全性が確認されている。【００２６】  尚、第一の実施例における透水性コンクリートブロックにおいて、表層１４が施されていると説明したが、本発明の透水性コンクリートブロックはこの構成に限られるものではなく、基層１２のみで構成されてもよいことは言うまでもない。特に表層１４を設けられていない場合、本発明の再生ガラス砂には瀬戸物等の陶器が使用されているので、ガラスのみから再生された再生ガラス砂に多い緑色系を茶褐色系にすることができるので、ガラスから再生された再生ガラス砂から受けるイメージである手を傷つけるや危険であるといった印象をなくす効果がある。【００２７】  また、第一の実施例における透水性コンクリートブロックの表層１４は、基層１２の片面のみに施されていると説明したが、本発明の透水性コンクリートブロックはこの構成に限られるものではなく、基層１２の両面に施されてもよいことは言うまでもない。【００２８】  さらに、第一の実施例における透水性コンクリートブロックは、概略直方体の形状であると説明したが、本発明の透水性コンクリートブロックはこの構成に限られるものではなく、インターロッキングブロックとして形状加工されても良いことは言うまでもない。【００２９】  またさらに、第一の実施例における透水性コンクリートブロックの基層１２に骨材として使用される再生ガラス砂は、瀬戸物やガラスビン等から加工されたものであると説明したが、本発明で使用される再生ガラス砂はこれに限られるものではなく、磁器片等のガラス質を含むものであれば何を使用しても良いことは言うまでもない。【００３０】  さらにまた、第一の実施例における透水性コンクリートブロックの基層１２は、骨材に再生ガラス砂が���用されていると説明したが、本発明の透水性コンクリートブロックはこの構成に限られるものではなく、透水性が担保される範囲内で骨材に通常の砂を混入しても良いことは言うまでもない。【００３１】＜第二の実施例＞
本発明の第二の実施例を図３に従って説明する。図３は、本発明の透水性コンクリートブロックを利用した透水性舗装道路２０の実施例を示す斜視図である。【００３２】  本発明の透水性コンクリートブロックを利用した透水性舗装道路２０は、路床２２と、下層路盤２４と、上層路盤２６と、透水性コンクリートブロック１０とから概略構成されている。【００３３】  路床２２は、透水性舗装道路が施工される通常の路床であり、その施工のために道路舗装用重機等により平らにならされている。【００３４】  路床２２上に敷設される下層路盤２４は、岩石破砕石や再生砕石等の透水性や排水性の高く、また、耐過重性の高い砕石で構成されている。尚、再生砕石には、建設現場や解体現場から排出されるコンクリート廃材塊やレンガ廃材を破砕機で細かく砕いて不純物を取り除いてから粒度調整されたものが使用されている。この再生砕石を利用することにより、コンクリート廃材塊やレンガ廃材を大量に再利用することが可能となる。【００３５】  下層路盤２４上に敷設される上層路盤２６は、本発明の透水性コンクリートブロックでも使用されている再生ガラス砂がサンドクッションとして使用されている。このサンドクッションは、透水性舗装道路の完成時に水平面を確保するための平面度の微調整にも利用されている。また、このサンドクッションに再生ガラス砂を使用することにより、高い透水性が担保されている。【００３６】  上層路盤２６上に敷設される透水性コンクリートブロック１０は、第一の実施例で説明した透水性コンクリートブロック１０が使用されている。尚、第二の実施例における透水性コンクリートブロックの形状は、インターロッキングブロックとして加工されている。このように、第二の実施例では、舗装道路の舗装面に本発明の透水性コンクリートブロック１０が利用されているので、雨天等で舗装面にできる水溜りを防止することができる。【００３７】  さらに、この第二の実施例においては、上層路盤２６に再生ガラス砂が使用されているので、透水性や排水性を担保できるばかりでなく、単位舗装面あたりの再生ガラス砂の使用量を増加させることできるので、再生ガラス砂の利用率の拡大を達成することができる。【００３８】  尚、第二の実施例における上層路盤２６は、サンドクッションとして再生ガラス砂が使用されていると説明したが、本発明の透水性コンクリートブロックを利用した透水性舗装道路はこの構成に限られるものではなく、透水性が担保される範囲内でサンドクッションに通常の砂を混入しても良いことは言うまでもない。【００３９】  また、第二の実施例における透水性舗装道路及び透水性舗装道路敷設方法は、路床に下層路盤及び上層路盤を敷設し、その上に透水性コンクリートブロックを敷設すると説明したが、本発明はこの構成に限られるものではなく、透水性舗装道路及び透水性舗装道路敷設方法において、本発明の透水性コンクリートブロックを利用すると共に下層路盤や上層路盤の一部に再生ガラス砂を使用するものであれば、その効果を達成できることは言うまでもない。
【図面の簡単な説明】
【００４０】
【図１】本発明の透水性コンクリートブロックを示す断面図である。
【図２】本発明で使用される再生ガラス砂の溶出試験結果である。
【図３】本発明の透水性コンクリートブロックを利用した透水性舗装道路を示す斜視図である。
【符号の説明】
【００４１】１０  透水性コンクリートブロック
１２  基層
１４  表層
２０  透水性コンクリートブロックを利用した透水性舗装道路
２２  路床
２４  下層路盤
２６  上層路盤
【図１】
2005220716.tif 000003
【図２】
2005220716.tif 000004
【図３】
2005220716.tif 000005